(57)【要約】  本発明は、情報処理方法および装置に関し、本発明の方法がプッシュ情報を受信した場合、通知バーに前記プッシュ情報の内容と同じターゲットプッシュ情報が存在するか否かを確定することと、通知バーに前記ターゲットプッシュ情報が存在した場合、通知バーにおけるターゲットプッシュ情報に対応するプッシュ時間をプッシュ情報のプッシュ時間に更新することとを含む。移動端末があるバインドされたデバイスから送信された繰り返しプッシュ情報を受信した場合、同じ装置が同じ時間で移動端末へ情報内容のプッシュ情報を複数回送信するときでも、移動端末がユーザに通知し、これによりユーザの正常な仕事と生活に影響を与える問題を避けるために、当該移動端末は当該プッシュ情報に対応する表示情報を通知バーに追加する。【選択図】図２
2018504072.tif 000002
【特許請求の範囲】
【請求項１】
プッシュ情報を受信した場合、通知バーに前記プッシュ情報の内容と同じターゲットプッシュ情報が存在するか否かを確定することと、
前記通知バーに前記ターゲットプッシュ情報が存在した場合、前記通知バーにおける前記ターゲットプッシュ情報に対応するプッシュ時間を前記プッシュ情報のプッシュ時間に更新することと、を含むことを特徴とする情報処理方法。
【請求項２】
前記通知バーにおける前記ターゲットプッシュ情報のプッシュ時間の更新回数が予め設定された回数より大きい場合、予め設定された方式で通知することをさらに含むことを特徴とする請求項１に記載の情報処理方法。
【請求項３】
前記プッシュ情報の情報内容における特徴情報を抽出することと、
前記特徴情報に基づいて前記プッシュ情報の重要度レベルを判断することと、
前記重要度レベルが予め設定されたレベル以上である場合、予め設定された方式で通知することと、をさらに含むことを特徴とする請求項１に記載の情報処理方法。
【請求項４】
前記予め設定された方式で通知することは、
前記移動端末のスピーカーにより予め設定されたオーディオを放送すること、または、
前記移動端末により振動を発生させること、または、
メインインターフェースにポップアップボックスを表示することを含むことを特徴とする請求項２に記載の情報処理方法。
【請求項５】
前記通知バーに前記ターゲットプッシュ情報が存在しない場合、前記プッシュ情報の情報内容および前記プッシュ情報のプッシュ時間を前記通知バーに追加することをさらに含むことを特徴とする請求項１に記載の情報処理方法。
【請求項６】
前記ターゲットプッシュ情報と前記プッシュ情報が同じアプリケーションプログラムに対応することを特徴とする請求項１に記載の情報処理方法。
【請求項７】
プッシュ情報を受信した場合、通知バーに前記プッシュ情報の内容と同じターゲットプッシュ情報が存在するか否かを確定するための確定モジュールと、
前記確定モジュールにより前記通知バーに前記ターゲットプッシュ情報が存在すると確定された場合、前記通知バーにおける前記ターゲットプッシュ情報に対応するプッシュ時間を前記プッシュ情報のプッシュ時間に更新するための更新モジュールと、を含むことを特徴とする情報処理装置。
【請求項８】
前記通知バーにおける前記ターゲットプッシュ情報のプッシュ時間の更新回数が予め設定された回数より大きい場合、予め設定された方式で通知するための第１通知モジュールをさらに含むことを特徴とする請求項７に記載の情報処理装置。
【請求項９】
前記プッシュ情報の情報内容における特徴情報を抽出するための抽出モジュールと、
前記抽出モジュールにより抽出された前記特徴情報に基づいて前記プッシュ情報の重要度レベルを判断するための判断モジュールと、
前記判断モジュールにより、前記重要度レベルが予め設定されたレベル以上であると判断された場合、予め設定された方式で通知するための第２通知モジュールと、をさらに含むことを特徴とする請求項７に記載の情報処理装置。
【請求項１０】
前記第１通知モジュールは、
前記移動端末のスピーカーにより予め設定されたオーディオを放送するための第１放送サブモジュール、または、
前記移動端末により振動を発生させるための第１振動サブモジュール、または、
メインインターフェースにポップアップボックスを表示するための第１表示サブモジュールを含むことを特徴とする請求項８に記載の情報処理装置。
【請求項１１】
前記通知バーに前記ターゲットプッシュ情報が存在しない場合、前記プッシュ情報の情報内容および前記プッシュ情報のプッシュ時間を前記通知バーに追加するための追加モジュールをさらに含むことを特徴とする請求項７に記載の情報処理装置。
【請求項１２】
前記確定モジュールにより確定された前記ターゲットプッシュ情報及び前記プッシュ情報が同じアプリケーションプログラムに対応することを特徴とする請求項７に記載の情報処理装置。
【請求項１３】
プッシュ情報を受信した場合、通知バーに前記プッシュ情報の内容と同じターゲットプッシュ情報が存在するか否かを確定し、
前記通知バーに前記ターゲットプッシュ情報が存在した場合、前記通知バーにおける前記ターゲットプッシュ情報に対応するプッシュ時間を前記プッシュ情報のプッシュ時間に更新するように配置されるプロセッサと、
プロセッサにより実行可能なコマンドを記憶するためのメモリと、を含むことを特徴とする端末。
【発明の詳細な説明】
【技術分野】
【０００１】
本発明は、出願番号がＣＮ２０１５１０７１７５４８．２であり、出願日が２０１５年１０月２９日である中国特許出願に基づいて提案され、且つ該中国特許出願の優先権を主張し、該中国特許出願のすべての内容がここに参照として本明細書に援用される。
【０００２】
本発明は、情報技術分野に関し、特に情報処理方法および装置に関する。
【背景技術】
【０００３】
技術の継続的な発展に伴い、スマート端末の種類および量が絶えず増加している。ユーザがいつも使用するスマートフォンのほかに、スマートランプ、スマートカメラ、スマート空気清浄機、スマート浄化カーテンなどのスマートデバイスもあり、これらの装置が一般的にユーザのスマートフォンにバインドされ、スマートフォンへ情報をプッシュすることができる。
【０００４】
しかしながら、これらのスマートデバイスからスマートフォンへプッシュされる情報の内容がほとんど同じであることが多いので、スマートデバイスがスマートフォンへこれらの情報をあまりにも頻繁にプッシュすると、ユーザは、容易に、スマートフォンがこれらの情報を受信したときに発生した振動または通知音によって邪魔され、かなりの程度までユーザの正常な仕事と生活に影響を与える恐れがある。
【発明の概要】
【発明が解決しようとする課題】
【０００５】
関連技術の問題を克服するために、本発明は、情報処理方法および装置を提供する。
【課題を解決するための手段】
【０００６】
本発明の実施形態の第１態様による情報処理方法は、
プッシュ情報を受信した場合、通知バーに前記プッシュ情報の内容と同じターゲットプッシュ情報が存在するか否かを確定することと、
前記通知バーに前記ターゲットプッシュ情報が存在した場合、前記通知バーにおける前記ターゲットプッシュ情報に対応するプッシュ時間を前記プッシュ情報のプッシュ時間に更新することと、を含む。
【０００７】
移動端末がプッシュ情報を受信した場合、当該プッシュ情報を通知バーにおけるターゲットプッシュ情報と比較し、プッシュ情報の内容と同じターゲットプッシュ情報が存在した場合、ユーザが閲覧するために、通知バーにおけるターゲットプッシュ情報に対応するプッシュ時間をプッシュ情報のプッシュ時間に更新する必要があり、この場合にユーザの正常な生活と仕事に影響を与えることを避けるように、ユーザに通知する必要がない。
【０００８】
また、前記方法は、
前記通知バーにおける前記ターゲットプッシュ情報のプッシュ時間の更新回数が予め設定された回数より大きい場合、予め設定された方式で通知することをさらに含む。
【０００９】
このように通知バーにおけるターゲットプッシュ情報のプッシュ時間の更新回数が、ある予め設定された回数より大きい場合、当該プッシュ情報が重要な情報である可能性が大きいことを示し、閲覧するようにユーザに即時に通知する必要がある。
【００１０】
また、前記方法は、
前記プッシュ情報の情報内容における特徴情報を抽出することと、
前記特徴情報に基づいて前記プッシュ情報の重要度レベルを判断することと、
前記重要度レベルが予め設定されたレベル以上である場合、予め設定された方式で通知することと、をさらに含む。
【００１１】
プッシュ情報の情報優先度が予め設定されたレベル以上である場合、該プッシュ情報が非常に重要であることを示し、当該プッシュ情報を即時に通知する必要があって、ユーザが該通知に基づいて該プッシュ情報を閲覧した後に、迅速に対応する措置をとり、損失を避ける。
【００１２】
また、前記方法は、
前記受信時点の前の予め設定された時間で前記繰り返しプッシュ情報を受信しない場合、前記プッシュ情報を通知することをさらに含む。
【００１３】
前記受信時点の前の予め設定された時間で前記繰り返しプッシュ情報を受信しない場合、予め設定された時間で移動端末が初めて繰り返しないプッシュ情報を受信したことを示し、この場合、当該プッシュ情報を通知する必要がある。
【００１４】
また、前記プッシュ情報を通知することは、
前記移動端末のスピーカーにより予め設定されたオーディオを放送すること、または、
前記移動端末により振動を発生させること、または、
メインインターフェースにポップアップボックスを表示することを含む。
【００１５】
当然、実際の需要に応じて、上記のそのうちの２種または３種の方式を結合して通知することができ、迅速且つ効果的にユーザに通知することができる。
【００１６】
また、前記方法は、
前記通知バーに前記ターゲットプッシュ情報が存在しない場合、前記プッシュ情報の情報内容および前記プッシュ情報のプッシュ時間を前記通知バーに追加することをさらに含む。
【００１７】
通知バーにターゲットプッシュ情報が存在しない場合、
本発明の実施形態の第２態様による情報処理装置は、
プッシュ情報を受信した場合、通知バーに前記プッシュ情報の内容と同じターゲットプッシュ情報が存在するか否かを確定するための確定モジュールと、
前記確定モジュールにより前記通知バーに前記ターゲットプッシュ情報が存在すると確定された場合、前記通知バーにおける前記ターゲットプッシュ情報に対応するプッシュ時間を前記プッシュ情報のプッシュ時間に更新するための更新モジュールとを含む。
【００１８】
また、前記装置は、
前記通知バーにおける前記ターゲットプッシュ情報のプッシュ時間の更新回数が予め設定された回数より大きい場合、予め設定された方式で通知するための第１通知モジュールをさらに含む。
【００１９】
また、前記装置は、
前記プッシュ情報の情報内容における特徴情報を抽出するための抽出モジュールと、
前記抽出モジュールにより抽出された前記特徴情報に基づいて前記プッシュ情報の重要度レベルを判断するための判断モジュールと、
前記判断モジュールにより、前記重要度レベルが予め設定されたレベル以上であると判断された場合、予め設定された方式で通知するための第２通知モジュールと、をさらに含む。
【００２０】
前記通知モジュールは、
前記移動端末のスピーカーにより予め設定されたオーディオを放送するための第１放送サブモジュール、または、
前記移動端末により振動を発生させるための第１振動サブモジュール、または、
メインインターフェースにポップアップボックスを表示するための第１表示サブモジュールを含む。
【００２１】
また、前記装置は、
前記通知バーに前記ターゲットプッシュ情報が存在しない場合、前記プッシュ情報の情報内容および前記プッシュ情報のプッシュ時間を前記通知バーに追加するための追加モジュールをさらに含む。
【００２２】
また、前記確定モジュールにより確定された前記ターゲットプッシュ情報及び前記プッシュ情報が同じアプリケーションプログラムに対応する。
【００２３】
本発明の実施形態の第３態様による端末は、
プッシュ情報を受信した場合、通知バーに前記プッシュ情報の内容と同じターゲットプッシュ情報が存在するか否かを確定し、
前記通知バーに前記ターゲットプッシュ情報が存在した場合、前記通知バーにおける前記ターゲットプッシュ情報に対応するプッシュ時間を前記プッシュ情報のプッシュ時間に更新するように配置されるプロセッサと、
プロセッサにより実行可能なコマンドを記憶するためのメモリと、を含む。
【発明の効果】
【００２４】
本発明の実施形態による技術案は、下記の有益な効果を含むことができる。
【００２５】
本発明による情報処理方法および装置において、移動端末があるバインドされたデバイスから送信されたプッシュ情報を受信した場合、当該プッシュ情報を通知バーにおけるターゲットプッシュ情報と比較し、プッシュ情報の内容と同じターゲットプッシュ情報が存在した場合、ユーザが閲覧するように、通知バーにおけるターゲットプッシュ情報に対応するプッシュ時間をプッシュ情報のプッシュ時間に更新し、この場合、ユーザの正常な生活と仕事に影響を与えることを避けるために、ユーザに通知する必要がない。
【００２６】
そして、本発明による情報処理方法および装置において、更に繰り返しプッシュ情報の受信回数とプッシュ情報の優先度などを判断することで、ユーザの仕事と生活に邪魔を引き起こすことを避けるために、移動端末によりユーザへ通知を出す必要があるか否かを判断することができる。
【００２７】
以上の一般的な説明および後の詳細説明は、例示的なものおよび解釈的なものに過ぎず、本発明を制限するためのものではないと理解すべきである。
【図面の簡単な説明】
【００２８】
ここの図面は明細書に合せられ本明細書の一部を構成し、本発明に適合する実施形態を示し、明細書と共に本発明の原理を解釈するのに用いられる。
【００２９】
【図１】一つの実施形態による応用シーンの模式図である。
【図２】例示的な実施形態による情報処理方法のフローチャートである。
【図３】別の実施形態による応用シーンの模式図である。
【図４】別の例示的な実施形態による情報処理方法のフローチャートである。
【図５】別の例示的な実施形態による情報処理方法の示すフローチャートである。
【図６】別の例示的な実施形態による情報処理方法のフローチャートである。
【図７】別の例示的な実施形態による情報処理方法のフローチャートである。
【図８】別の例示的な実施形態による情報処理装置の模式図である。
【図９】別の例示的な実施形態による情報処理装置の模式図である。
【図１０】別の例示的な実施形態による情報処理装置の模式図である。
【図１１】図９の第１通知モジュールの模式図である。
【図１２】図１０の第２通知モジュールの模式図である。
【図１３】別の例示的な実施形態による情報処理装置の模式図である。
【図１４】例示的な実施形態による情報処理に用いる端末の構造模式図である。
【発明を実施するための形態】
【００３０】
ここで例示的な実施例について詳しく説明し、その実施例は図面に示す通りである。下記の説明が図面に関わるとき、別途に表示されない限り、異なる図面における同じ数字は同じ又は類似する要素を表示する。以下の例示的な実施例に説明される実施形態は本発明と一致する全ての実施形態を表すわけではない。逆に、それらは特許請求の範囲に詳細に記載された本発明の一部の態様と一致する装置と方法の例に過ぎない。
【００３１】
図１は一つの例示的な実施形態によるシーンを示す図である。図１において、スマートフォン１００、スマートソケット２００、スマートテレビ３００、及びスマートカメラ４００が含まれる。その中、スマートフォン１００は、それぞれスマートソケット２００、スマートテレビ３００、およびスマートカメラ４００と通信することができ、その通信方式は、ブルートゥース、赤外線または無線ネットワークであってよい。
【００３２】
スマートソケット２００、スマートテレビ３００またはスマートカメラ４００が自体の運動状態または検出されたデータをプッシュ情報として生成し、当該プッシュ情報をスマートフォン１００に送信することができ、これによりユーザは、スマートフォン１００によって受信されたプッシュ情報を閲覧することで、当該スマートフォン１００にバインドされたスマート端末の運転状態を確認し、効果的な措置をとることができる。
【００３３】
例えば、スマートソケット２００は、それ自体に接続された電気機器の電力が過度で定格電力よりも大きいことを検出した場合、スマートフォン１００へプッシュ情報を送信し、関連する電気機器の電力を小さくするまたは関連する電気機器をオフにすることをユーザに通知して、電気機器を焼損するなどの不良な状況の発生を避ける。また、スマートカメラ４００は、人体が移動することを検出した場合、ユーザが関連措置をとり、屋内盗難などの状況の発生を避けるように、スマートフォン１００へプッシュ情報を送信する。
【００３４】
しかしながら、スマートフォン１００がそれにバインドされたスマートデバイスから送信されたプッシュ情報を頻繁に受信した場合、ユーザは、スマートフォン１００がプッシュ情報を受信したときに発生した情報通知によって継続的に邪魔され、ユーザの正常な仕事と生活に影響を与え、ユーザはスマートフォン１００がプッシュ情報を受信したときに発生した情報通知を閉じると、重要な情報を見逃し、ユーザに大きな損失を与える可能性がある。
【００３５】
上記の状況に基づいて、本発明の実施形態による情報処理方法は、スマートフォン１００がスマートデバイスから送信されたプッシュ情報を受信した場合、通知バーに当該プッシュ情報の内容と同じターゲットプッシュ情報が存在するか否かを確定し、存在する場合、当該ターゲットプッシュ情報の時間を更新する。この場合、ユーザがスマートフォン１００からの通知によって邪魔されることを避けるために、スマートフォン１００が着信音および／または振動などの通知を出す必要がない。
【００３６】
また、スマートフォン１００により受信された繰り返しプッシュ情報の回数、プッシュ情報の内容の重要度レベルなどをさらに判断することができ、これによりプッシュ情報を通知するか否かを確定し、具体的に下記の実施形態の詳細な説明を参照でき、ここで説明を省略する。
【００３７】
実行プロセスを詳細に説明するために、本発明の実施形態は、情報処理方法を提供する。図２に示すように、当該方法は、以下のステップを含むことができる。
【００３８】
ステップＳ２１０において、プッシュ情報を受信した場合、通知バーにプッシュ情報の内容と同じターゲットプッシュ情報が存在するか否かを確定する。
【００３９】
図１における実施形態によれば、スマートフォンは、移動端末の１つに属し、移動端末は、様々なスマート装置にバインディングされ、且つこれらのスマート装置から送信されたプッシュ情報を受信することができ、移動端末がスマート装置から送信されたプッシュ情報を受信した場合、移動端末は、該プッシュ情報を受信した場合の受信時点を取得し、実際の需要に応じて当該受信時点が年、月、日、および時、分、秒等の具体的な時点を含むことができる。
【００４０】
当該ターゲットプッシュ情報が通知バーにおける予め存在する情報を意味し、端末が現在受信したプッシュ情報をターゲットプッシュ情報と比較し、両者の情報内容が同じであるか否かを判断することができる。
【００４１】
ステップＳ２２０において、通知バーにターゲットプッシュ情報が存在する場合、通知バーにおけるターゲットプッシュ情報に対応するプッシュ時間をプッシュ情報のプッシュ時間に更新する。
【００４２】
通知バーにプッシュ情報の内容と同じターゲットプッシュ情報が存在した場合、端末が当該プッシュ情報を受信する前、内容が同じターゲットプッシュ情報を受信したことを示し、ユーザがこの前のターゲットプッシュ情報を受信する場合、ユーザは、当該ターゲットプッシュ情報の通知情報を受信した可能性があり、ユーザが当該プッシュ情報を受信した場合、ユーザに通知し、ユーザの正常な仕事または休みに影響を与えることを回避するために、端末におけるプッシュ情報の受信時間のみを更新し、ユーザの閲覧に利便性を与える。
【００４３】
また、ターゲットプッシュ情報およびプッシュ情報は、同じアプリケーションプログラムに対応する。即ち、ターゲットプッシュ情報およびプッシュ情報は、端末における同一のアプリケーションプログラムによってプッシュされるものである。例えば、端末は、他の端末からプッシュされたプッシュ情報を受信した場合、他の端末に適用するアプリケーションプログラムによって当該プッシュ情報を処理し、端末の通知バーにプッシュすることができる。
【００４４】
なお、プッシュ情報は、移動端末にバインドされた同じスマートデバイスから送信されたプッシュ情報であり、異なるスマートデバイスから送信されたプッシュ情報である場合、これらのプッシュ情報の情報内容が同じであっても移動端末に警告を出し、閲覧するようユーザに通知する。
【００４５】
本発明による情報処理方法は、同じ装置が同じ時間帯で移動端末へ情報内容のプッシュ情報を複数回送信する場合でも、移動端末がユーザに通信し、これによりユーザの正常な仕事と生活に影響を与える問題を避けることができる。
【００４６】
また、プッシュ情報またはターゲット情報の内容は、スマート端末のデバイス識別子、プッシュ情報の情報内容、情報タイプ及び受信時点を含むことができる。例えば、図３に示すように、プッシュ情報またはターゲットプッシュ情報は、午後１２：１０、警報通知、人感センサーが人体の移動を検出したことである。
【００４７】
受信されたプッシュ情報を通知する必要があるか否かをより正確に説明するために、図２に示す方法の詳細として、本発明の別の実施形態において、図４に示すように、当該方法は、以下のステップをさらに含むことができる。
【００４８】
ステップＳ２３０において、通知バーにおけるターゲットプッシュ情報のプッシュ時間の更新回数が予め設定された回数より大きい場合、予め設定された方式で通知する。
【００４９】
当該受信回数は、１回、２回等であってもよく、具体的な状況に応じて定められる。当該受信回数が予め設定された値以上である場合、当該プッシュ情報が比較的緊急な通信情報であることを示す可能性が大きく、ユーザにより即座に処理される必要があり、この場合、当該プッシュ情報を通知する必要がある。また、移動端末が予め設定された時間帯で初めてプッシュ情報を受信して通知を出す場合、ユーザに通知しないことを避けることができ、この場合、重要な情報を逃して、ユーザに大きな損失をもたらすことを避けるように、同一のスマート装置から送信された繰り返しプッシュ情報を第二回受信した場合に再度通知することができる。
【００５０】
受信されたプッシュ情報を通知する必要があるか否かをより正確に説明するために、図２に示す方法の詳細として、本発明の別の実施形態において、図５に示すように、当該方法は、以下のステップをさらに含むことができる。
【００５１】
ステップＳ５１０において、プッシュ情報の情報内容における特徴情報を抽出する。
【００５２】
当該特徴情報は、プッシュ情報におけるキーワード、例えば、警報、緊急および注意等の敏感な言葉であってよい。当然、スマート端末は、移動端末にプッシュ情報を送信するとき、
ステップＳ５２０において、特徴情報に基づいてプッシュ情報の重要度レベルを判断する。
【００５３】
例えば、プッシュ情報の情報内容に「警報、緊急、注意」等の敏感な言葉が含まれる場合、当該プッシュ情報を高い重要度レベルに設定することができ、敏感な言葉が含まれない場合、低い重要度レベルに設定することができる。
【００５４】
ステップＳ５３０において、重要度レベルが予め設定されたレベル以上である場合、予め設定された方式で通知する。
【００５５】
プッシュ情報の情報優先度が予め設定されたレベル以上である場合、当該プッシュ情報が非常に重要であることを示し、当該プッシュ情報を即時に通知する必要があって、ユーザが当該通知に基づいて当該プッシュ情報を確認した後に、迅速に対応する措置をとり、損失を避けることができる。
【００５６】
また、図２に示す方法の詳細として、本発明の別の実施形態において、図６に示すように、当該方法は、以下のステップをさらに含むことができる。
【００５７】
ステップＳ２４０において、通知バーにターゲットプッシュ情報が存在しない場合、プッシュ情報の情報内容およびプッシュ情報のプッシュ時間を通知バーに追加する。
【００５８】
この状況は、ユーザの端末がこの前にプッシュ情報を受信したことがあるが、ユーザが閲覧したところ、通知バーに存在せず、または端末が当該プッシュ情報を初めて受信し、通知バーに該プッシュ情報の内容と同じターゲットプッシュ情報が存在せず、当該プッシュ情報の情報内容および対応するプッシュ時間を通知バーに追加して、ユーザの閲覧に利便性を与えることに対するものである。
【００５９】
上述した、プッシュ情報を通知することは、下記の方式により行われる。
【００６０】
移動端末のスピーカーにより予め設定されたオーディオを放送する。
【００６１】
例えば、ユーザに対して比較的敏感な着信音を設定して予め設定されたオーディオとして放送して、リアルタイムに閲覧するようユーザに通知することができる。
【００６２】
または、移動端末により振動を発生させる。
【００６３】
または、移動端末のメインインターフェースにポップアップボックスを表示する。
【００６４】
このようにしてユーザは、閲覧し、または端末を使用するときに、当該プッシュ情報を即時に取得できる。
【００６５】
当然、実際の需要に応じて、上記の２種または３種の方式を結合して通知することができ、迅速且つ効果的にユーザを通知することができる。
【００６６】
移動端末がプリセット端末から送信された繰り返しプッシュ情報を受信したか否かをより正確に判断するために、図２に示す方法の詳細として、本発明の別の実施形態において、図７に示すように、当該方法は、以下のステップを含むことができる。
【００６７】
ステップＳ２２１において、プリセット端末から送信された履歴プッシュ情報を取得する。
【００６８】
ステップＳ２２２において、プッシュ情報と履歴プッシュ情報を比較し、履歴プッシュ情報にプッシュ情報が含まれているか否かを判断する。
【００６９】
プッシュ情報と履歴プッシュ情報を完全にマッチングすることができ、両者の語義を比較することもできる。
【００７０】
履歴プッシュ情報にプッシュ情報が含まれた場合、ステップＳ２２３において、プリセット端末から送信された繰り返しプッシュ情報を受信したことを確定する。
【００７１】
履歴プッシュ情報にプッシュ情報が含まれていない場合、ステップＳ２２４において、プリセット端末から送信された繰り返しプッシュ情報を受信していないことを確定する。
【００７２】
なお、履歴プッシュ情報が、移動端末により受信された、プリセット端末が予め設定された時間帯で送信したすべてのプッシュ情報であってよく、移動端末が現在受信したプッシュ情報を履歴プッシュ情報と比較することで、当該プッシュ情報が履歴プッシュ情報に含まれているか否かを判断でき、さらに移動端末がプリセット端末から送信された繰り返しプッシュ情報を受信したか否かを判断する。
【００７３】
本発明による情報処理方法は、移動端末がバインドされたデバイスから送信されたプッシュ情報を受信した場合、または、あるアプリケーションプログラムが受信された情報をプッシュ情報としてプッシュする場合、当該プッシュ情報を通知バーにおけるターゲットプッシュ情報と比較し、プッシュ情報の内容と同じターゲットプッシュ情報が存在する場合、ユーザが閲覧するように、通知バーにおけるターゲットプッシュ情報に対応するプッシュ時間をプッシュ情報のプッシュ時間に更新する必要があり、かつこの場合にユーザの正常な生活と仕事に影響を与えることを避けるように、ユーザに通知する必要がない。
【００７４】
そして、本発明による情報処理方法は、更に繰り返しプッシュ情報の受信回数とプッシュ情報の優先度などを判断することで、ユーザの仕事と生活に邪魔を引き起こすことを避けるように、移動端末によりユーザへ通知を出す必要があるか否かを判断することができる。
【００７５】
以上の方法の実施形態の説明により、当業者は、本発明がソフトウェア及び必要なユニバーサルハードウェアプラットフォームの方式によって実現され、また、ハードウェアによって実現されてもよいが、多くの場合で前者がより良い実施形態であることと、明確に理解することができる。このような理解に基づいて、本発明の技術案は、本質的にまたは従来技術に貢献する部分に対してソフトウェア製品の形態で現れることができ、当該コンピュータソフトウェア製品が１つの記憶媒体に記憶され、１つのコンピュータ装置（パーソナルコンピュータ、サーバ、またはネットワーク装置であってよい）に本発明の各実施形態に記載される方法のすべてまたは一部のステップを実行させるための若干のコマンドを含む。記憶媒体は、読み出し専用メモリ（ＲＯＭ）、ランダムアクセスメモリ（ＲＡＭ）、磁気ディスクまたは光ディスクなどの様々なプログラムコードを記憶できる媒体を含む。
【００７６】
また、各実施形態に対する実現として、本発明の実施形態は、情報処理装置を提供し、当該装置が移動端末に位置し、図８に示すように、当該装置は、
プッシュ情報を受信した場合、通知バーにプッシュ情報内容と同じターゲットプッシュ情報が存在するか否かを確定するように配置される確定モジュール１０と、
確定モジュール１０により通知バーにターゲットプッシュ情報が存在すると確定された場合、通知バーにおけるターゲットプッシュ情報に対応するプッシュ時間をプッシュ情報のプッシュ時間に更新するように配置される更新モジュール２０とを含む。
【００７７】
図１における実施形態によれば、スマートフォンは、移動端末の１種に属し、移動端末は、様々なスマート装置にバインディングされ、これらのスマート装置から送信されたプッシュ情報を受信することができ、移動端末がスマート装置から送信されたプッシュ情報を受信した場合、移動端末は、当該プッシュ情報を受信したときの受信時点を取得し、実際の需要に応じて当該受信時点が年、月、日、および時、分および秒等の具体的な時点を含むことができる。
【００７８】
当該ターゲットプッシュ情報が通知バーにおける予め存在する情報を意味し、端末が現在受信したプッシュ情報をターゲットプッシュ情報と比較し、両者の情報内容が同じであるか否かを判断することができる。
【００７９】
通知バーにプッシュ情報の内容と同じのターゲットプッシュ情報が存在した場合、端末が当該プッシュ情報を受信する前に、内容が同じのターゲットプッシュ情報を受信したことを示すが、ユーザがこの前のターゲットプッシュ情報を受信する場合、ユーザは、当該ターゲットプッシュ情報の通知情報を受信した可能性があり、ユーザが該プッシュ情報を受信した場合、ユーザに通知し、ユーザの正常な仕事または休みに影響を与えることを防止するために、端末におけるプッシュ情報の受信時間のみを更新し、ユーザの閲覧に利便性を与える。
【００８０】
また、ターゲットプッシュ情報およびプッシュ情報は、同じアプリケーションプログラムに対応する。即ち、ターゲットプッシュ情報およびプッシュ情報は端末における同一のアプリケーションプログラムによってプッシュされる。例えば、端末は、他の端末からプッシュされたプッシュ情報を受信した場合、他の端末に適用するアプリケーションプログラムにより当該プッシュ情報を処理し、端末の通知バーにプッシュすることができる。
【００８１】
本発明の別の実施形態において、図８に基づいて、図９に示すように、当該装置は、
通知バーにおけるターゲットプッシュ情報のプッシュ時間更新回数が予め設定された回数より大きい場合、予め設定された方式で通知するように配置される第１通知モジュール３０をさらに含むことができる。
【００８２】
当該受信回数は、１回、２回等であってもよく、具体的な状況に応じて定められてもよい。該当受信回数が予め設定された値以上である場合、当該プッシュ情報が比較的緊急な通信情報であることを示す可能性が大きく、ユーザが即座に対処する必要があることを示し、この場合、当該プッシュ情報を通知する必要がある。また、移動端末が予め設定された時間帯で、プッシュ情報を初めて受信して通知を出す場合、ユーザを通知しないことを避けることができ、この場合、重要な情報を逃して、ユーザに大きな損失をもたらすことを避けるために、同一のスマート装置から送信された繰り返しプッシュ情報を第二回受信した場合に再度通知することができる。
【００８３】
本発明の別の実施形態において、図８に基づいて、図１０に示すように、当該装置は、抽出モジュール４０と、判断モジュール５０と、第２通知モジュール６０と、を更に含むことができる。
【００８４】
抽出モジュール４０は、プッシュ情報の情報内容における特徴情報を抽出するように配置される。
【００８５】
当該特徴情報は、プッシュ情報におけるキーワード、例えば、警報、緊急および注意等の敏感な言葉であってよい。当然、スマート端末が移動端末にプッシュ情報を送信するとき、判断モジュール５０は、抽出モジュール４０により抽出された特徴情報に基づいてプッシュ情報の重要度レベルを判断するように配置される。
【００８６】
例えば、プッシュ情報の情報内容に「警報、緊急、注意」等の敏感な言葉が含まれた場合、当該プッシュ情報を高い重要度レベルに設定することができ、敏感な言葉が含まれない場合、低い重要度レベルに設定することができる。
【００８７】
第２通知モジュール６０は、判断モジュール５０により、重要度レベルが予め設定されたレベル以上であると判断された場合、予め設定された方式で通知するように配置される。
【００８８】
プッシュ情報の情報優先度が予め設定されたレベル以上である場合、当該プッシュ情報が非常に重要であることを示し、ユーザが当該通知に基づいて当該プッシュ情報を閲覧した後に迅速に対応する措置をとることが可能となり、損失を避けるように、当該プッシュ情報を即時に通知する必要がある。
【００８９】
本発明の別の実施形態において、図９に基づいて、図１１に示すように、第１通知モジュール３０は、第１放送サブモジュール３１、第１振動サブモジュール３２または第１表示サブモジュール３３を含み、
第１放送サブモジュール３１が移動端末のスピーカーにより予め設定されたオーディオを放送するように配置され、または、
第１振動サブモジュール３２が移動端末により振動を発生させるように配置され、または、
第１表示サブモジュール３３がメインインターフェースにポップアップボックスを表示するように配置される。
【００９０】
また、本発明の別の実施形態において、図１０に基づいて、図１２に示すように、第２通知モジュール６０は、第２放送サブモジュール６１、第２振動サブモジュール６２または第２表示サブモジュール６３を含み、
第２放送サブモジュール３１が移動端末のスピーカーにより予め設定されたオーディオを放送するように配置され、または、
第２振動サブモジュール３２が移動端末により振動を発生させるように配置され、または、
第２表示サブモジュール３３がメインインターフェースにポップアップボックスを表示するように配置される。
【００９１】
本発明の別の実施形態において、図８に基づいて、図１３に示すように、当該装置は、
通知バーにターゲットプッシュ情報が存在しない場合、プッシュ情報の情報内容およびプッシュ情報のプッシュ時間を通知バーに追加するように配置される追加モジュール６０をさらに含む。
【００９２】
この状況は、ユーザの端末がこの前にプッシュ情報を受信したことがあるが、ユーザが閲覧したところ、通知バーに存在せず、または端末が当該プッシュ情報を初めて受信し、通知バーに当該プッシュ情報の内容と同じターゲットプッシュ情報が存在せず、当該プッシュ情報の情報内容および対応するプッシュ時間を通知バーに追加して、ユーザの閲覧に利便性を与えることに対するものである。また、確定モジュール１０により確定されたターゲットプッシュ情報及びプッシュ情報は、同じアプリケーションプログラムに対応する。
【００９３】
本発明による情報処理装置は、移動端末があるバインドされたデバイスから送信されたプッシュ情報を受信した場合、当該プッシュ情報を受信した受信時点を取得し、当該移動端末が当該受信時点の前の一定の時間で、当該装置から送信された、当該プッシュ情報の内容と同じプッシュ情報を受信した場合、同じ装置が同じ時間帯で移動端末へ情報内容のプッシュ情報を複数回送信する場合でも、移動端末がユーザに通知し、これによりユーザの正常な仕事と生活に影響を与える問題を避けるために、当該移動端末が当該プッシュ情報に対応する表示情報を通知バーに追加する。
【００９４】
また、本発明による情報処理装置は、更に繰り返しプッシュ情報の受信回数とプッシュ情報の優先度などを判断することで、ユーザの仕事と生活に対して邪魔を引き起こすことを避けるために、移動端末によりユーザへ通知を出す必要があるか否かを判断することができる。
【００９５】
図１４は一例示的な実施形態により示された情報処理に適用される端末１４００の構造模式図である。例えば、端末１４００は携帯電話、コンピュータ、デジタル放送端末、メッセージ送受信設備、ゲームコンソール、タブレット型装置、医療設備、フィットネス装置、パーソナルデジタルアシスタントなどであってよい。
【００９６】
図１４を参照して、端末１４００は、処理部材１４０２、メモリ１４０４、電源部材１４０６、マルチメディア部材１４０８、オーディオ部材１４１０、入力／出力（Ｉ／Ｏ）インターフェース１４１２、センサー部材１４１４、及び通信部材１４１６のうちの一つ又は複数の部材を含むことができる。
【００９７】
処理部材１４０２は、通常、端末１４００の全体的操作、例えば、表示、電話呼び出し、データ通信、カメラ操作及び記録操作に関する操作を制御する。処理部材１４０２は、上記方法の全部又は一部のステップを完成するために、コマンドを実行する一つ又は複数のプロセッサ１４２０を含むことができる。さらに、処理部材１４０２はその他の部材とのインタラクションが容易であるように、一つ又は複数のモジュールを含むことができる。例えば、処理部材１４０２は、マルチメディア部材１４０８と処理部材１４０２とのインタラクションが容易であるように、マルチメディアモジュールを含むことができる。
【００９８】
メモリ１４０４は、端末１４００における操作をサポートするために、さまざまなタイプのデータを記憶するように配置される。これらのデータの実例は、端末１４００において操作される如何なるアプリケーション又は方法のコマンド、連絡先データ、電話帳データ、メッセージ、ピクチャ、ビデオなどを含む。メモリ１４０４は如何なるタイプの揮発性又は非揮発性メモリ又はそれらの組合せ、例えばスタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００９９】
電源部材１４０６は端末１４００のさまざまな部材に対し電力を供給する。電源部材１４０６は電源管理システム、一つ又は複数の電源、及びその他の端末１４００に対する電力の生成、管理及び供給に関連する部材を含むことができる。
【０１００】
マルチメディア部材１４０８は、端末１４００とユーザの間の出力インターフェースを提供するスクリーンを含む。一部の実施例において、スクリーンは、液晶ディスプレイ（ＬＣＤ）とタッチパネル（ＴＰ）を含むことができる。スクリーンにタッチパネルが含まれる場合、スクリーンはユーザからの入力信号を受信するために、タッチスクリーンで実現することができる。タッチパネルは、タッチ、スワイプ及びタッチパネルにおけるジェスチャーを感知するために、一つ又は複数のタッチセンサーを含む。上記タッチセンサーは、タッチ又はスワイプ動作の境界を感知するとともに、タッチ又はスワイプ動作に関わる持続時間及び圧力を検出することができる。一部の実施例において、マルチメディア部材１４０８は、フロントカメラ及び／又はバックカメラを含む。端末１４００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【０１０１】
オーディオ部材１４１０は、オーディオ信号を出力及び／又は入力するように配置される。例えば、オーディオ部材１４１０は、マイクロフォン（ＭＩＣ）を含み、端末１４００が操作モードである場合、例えば、呼び出しモード、記録モード及び音声認識モードである場合、マイクロフォンは外部のオーディオ信号を受信するように配置される。受信されたオーディオ信号は、さらにメモリ１４０４に記憶され、又は通信部材１４１６を介して送信される。一部の実施例において、オーディオ部材１４１０は、さらにオーディオ信号を出力するスピーカーを含む。
【０１０２】
Ｉ／Ｏインターフェース１４１２は、処理部材１４０２と周辺インターフェースモジュールとの間にインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるがこれに限定されない。
【０１０３】
センサー部材１４１４は、端末１４００に対し各方面の状態評価を提供する一つ又は複数のセンサーを含む。例えば、センサー部材１４１４は、端末１４００のオン／オフ状態、部材の相対的位置決めを検出することができ、当該部材は、例えば、端末１４００のディスプレイ及びキーパッドであり、センサー部材１４１４は、さらに端末１４００又は端末１４００の一つの部材の位置変化、ユーザと端末１４００との接触の有無、端末１４００の方角又は加速／減速及び端末１４００の温度変化を検出することができる。センサー部材１４１４は、近接センサーを含むことができ、如何なる物理的接触がないとき、近傍物体の存在を検出するように配置される。センサー部材１４１４は、さらにイメージングアプリケーションに用いられる光学センサー、例えば、ＣＭＯＳ又はＣＣＤイメージセンサーを含むことができる。一部の実施例において、センサー部材１４１４は、さらに加速度センサー、ジャイロセンサー、磁気センサー、圧力センサー又は温度センサーを含むことができる。
【０１０４】
通信部材１４１６は、端末１４００とその他の装置との有線又は無線による通信が容易であるように配置される。端末１４００は、通信標準に基づく無線ネットワーク、例えばＷｉＦｉ、２Ｇ又は３Ｇ、又はそれらの組合せにアクセスすることができる。一例示的な実施例において、通信部材１４１６は、放送チャネルを介して外部放送管理システムからの放送信号又は放送関連情報を受信する。一例示的な実施例において、通信部材１４１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）技術及びその他の技術に基づいて実現することができる。
【０１０５】
例示的な実施例において、端末１４００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラー、マイクロコントローラー、マイクロプロセッサ又はその他の電子部品により実現することができ、上記方法を実行するのに用いられる。
【０１０６】
例示的な実施例において、さらに、コマンドを含む非一時的なコンピュータ可読記憶媒体、例えば、コマンドを含むメモリ１４０４を提供し、上記方法を完成するために、上記コマンドは端末１４００のプロセッサ１４２０により実行することができる。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１０７】
一時的なコンピュータ可読記憶媒体において、当該記憶媒体におけるコマンドが移動端末のプロセッサによって実行される場合、移動端末に、情報処理方法を実行させることができ、当該方法は、
プッシュ情報を受信した場合、通知バーにプッシュ情報内容と同じターゲットプッシュ情報が存在するか否かを確定することと、
通知バーにターゲットプッシュ情報が存在した場合、通知バーにおけるターゲットプッシュ情報に対応するプッシュ時間をプッシュ情報のプッシュ時間に更新することと、を含む。
【０１０８】
本発明は、多数の汎用または専用のコンピュータシステム環境またはフレームワークに用いられると理解すべきである。例えば、パーソナルコンピュータ、サーバコンピュータ、ハンドヘルドまたは携帯型機器、タブレット型装置、マルチプロセッサシステム、マイクロプロセッサに基づくシステム、セットトップボックス、プログラム可能な家庭用電子機器、ネットワークＰＣ、ミニコンピュータ、メインフレームコンピュータ、以上のいずれかのシステムまたは装置が含まれる分散型コンピューティング環境などである。
【０１０９】
本発明は、コンピュータによって実行されるコンピュータ実行可能コマンドの一般的なコンテキスト、例えばプログラムモジュールに説明される。一般的に、プログラムモジュールは、特定のタスクを実行しまたは特定の抽象データタイプを実現するルーチン、プログラム、オブジェクト、コンポーネント、データ構造などを含む。分散型コンピューティング環境において本発明を実践することもでき、これらの分散型コンピューティング環境において、通信ネットワークを介して接続された遠隔処理装置によってタスクを実行する。分散型コンピューティング環境において、プログラムモジュールは、記憶装置が含まれるローカル及び遠隔コンピュータ記憶媒体に位置することができる。
【０１１０】
なお、本明細書において、「第１」と「第２」などのような関連用語が１つの実体または操作と別の実体または操作を区分するためのものだけであるが、必ずしもこれらの実体または操作の間に実際の関係または順番が存在することを要求または暗示する必要がない。そして、用語「含む」、「備える」またはそのいずれかの他の変形体が非排他的な包含をカバーすることを意図することにより、一連の要素が含まれるプロセス、方法、物品または装置は、それらの要素を含むだけでなく、明確に示されない他の要素、または、このようなプロセス、方法、物品または装置の固有の要素を含む。より多くの制限がない場合、語句「１つ．．．を含む」によって限定される要素は、当該要素が含まれるプロセス、方法、物品または装置にも別の同じ要素が存在することを排除しない。
【０１１１】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない本技術分野における公知常識又は慣用の技術手段を含む。明細書と実施例は例示的なものに過ぎず、本発明の実際の範囲と精神は特許請求の範囲により与えられる。
【０１１２】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
2018504072.tif 000003
【図２】
2018504072.tif 000004
【図３】
2018504072.tif 000005
【図４】
2018504072.tif 000006
【図５】
2018504072.tif 000007
【図６】
2018504072.tif 000008
【図７】
2018504072.tif 000009
【図８】
2018504072.tif 000010
【図９】
2018504072.tif 000011
【図１０】
2018504072.tif 000012
【図１１】
2018504072.tif 000013
【図１２】
2018504072.tif 000014
【図１３】
2018504072.tif 000015
【図１４】
2018504072.tif 000016
【国際調査報告】
2018504072.tif 000017
2018504072.tif 000018
2018504072.tif 000019
2018504072.tif 000020